(57)【要約】【課題】ミキサー車側のホッパーに砂を容易に供給することができる装置を提供する。【解決手段】ミキサー車用骨材投入ホッパー１１は、上部から下方に向かって次第に縮径する四角錐状体からなる本体１２と、本体１２をミキサー車５のホッパー７より高い位置に支持する架台１３とを備える。本体１２は上部に開口部１４を備えると共に、四角錐状体の先端部に開口する投入口１５を備える。【選択図】  図３
0003184972.tif 000002
【実用新案登録請求の範囲】
【請求項１】
地盤を取り除いて設定された多数の区画について、区画毎に無機廃棄物とセメントと水又は重金属固定剤とを混練した盛土材を充填し締め固めて圧密成形体を形成し、該圧密成形体上に、モルタルと砕石とを積層して該無機廃棄物の雨水への接触を阻止する防水被覆層を形成する廃棄物の最終処分場で、セメントと砂と水とをミキサー車で混練して該モルタルを調製するために、ミキサー車側のホッパーに砂を供給するミキサー車用骨材投入ホッパーであって、
上部から下方に向かって次第に縮径する四角錐状体からなる本体と、該本体をミキサー車側のホッパーより高い位置に支持する架台とを備え、
該本体は上部に開口部を備えると共に、該四角錐状体の先端部に開口する投入口を備えることを特徴とするミキサー車用骨材投入ホッパー。
【考案の詳細な説明】
【技術分野】
【０００１】
本発明は、ミキサー車用骨材投入ホッパーに関する。
【背景技術】
【０００２】
地盤を取り除いて設定された多数の区画について区画毎に、無機廃棄物とセメントと水又は重金属固定剤とを混練した盛土材を充填し、締め固めて圧密成形体を形成する廃棄物の最終処分場が知られている。前記圧密成形体は、その上にモルタルと砕石とを積層して防水被覆層を形成することにより、前記無機廃棄物と雨水との接触を阻止し、該無機廃棄物に含まれる有害物質の雨水への溶出を防止することができる。
【０００３】
前記モルタルは、セメントと骨材としての砂と水とを混練して調製される。前記モルタルは、前記最終処分場外のモルタル混練装置で調製されたものをミキサー車で運搬してもよい（例えば特許文献１参照）が、道路事情等によっては該ミキサー車が遅延して、所望時期に所望量のモルタルを得ることが困難になることがある。
【先行技術文献】
【特許文献】
【０００４】
【特許文献１】特開平５−２４０３３号公報
【考案の概要】
【考案が解決しようとする課題】
【０００５】
そこで、前記最終処分場では、該最終処分場内に設置されたセメントサイロからセメントをミキサー車のドラムへ供給するとともに、骨材置場から骨材としての砂を供給し、さらに水を加えて混練してモルタルを調製することが考えられる。
【０００６】
しかしながら、ミキサー車側のホッパーは車両の後部上方の高い位置に配設されているので、該ミキサー車に対する砂の供給が難しいという不都合がある。
【０００７】
そこで、本考案は、ミキサー車側のホッパーに砂を容易に供給することができる装置を提供することを目的とする。
【課題を解決するための手段】
【０００８】
かかる目的を達成するために、本考案は、地盤を取り除いて設定された多数の区画について、区画毎に無機廃棄物とセメントと水又は重金属固定剤とを混練した盛土材を充填し締め固めて圧密成形体を形成し、該圧密成形体上に、モルタルと砕石とを積層して該無機廃棄物の雨水への接触を阻止する防水被覆層を形成する廃棄物の最終処分場で、セメントと砂と水とをミキサー車で混練して該モルタルを調製するために、ミキサー車側のホッパーに砂を供給するミキサー車用骨材投入ホッパーであって、上部から下方に向かって次第に縮径する四角錐状体からなる本体と、該本体をミキサー車側のホッパーより高い位置に支持する架台とを備え、該本体は上部に開口部を備えると共に、該四角錐状体の先端部に開口する投入口を備えることを特徴とする。
【０００９】
本考案のミキサー車用骨材投入ホッパーは、前記四角錐状体からなる本体が前記架台に支持されて、前記ミキサー車側のホッパーよりも高い位置に配置されている。そこで、前記投入口の直下に前記ミキサー車側のホッパーが位置するように該ミキサー車を駐車して、前記開口部から砂を供給すると、該砂は前記四角錐状体に案内されて、前記投入口から該ミキサー車側のホッパーに投入される。
【００１０】
したがって、本考案のミキサー車用骨材投入ホッパーによれば、車両の後部上方の高い位置に配設されているミキサー車側のホッパーに対する砂の供給を容易に行うことができる。
【図面の簡単な説明】
【００１１】
【図１】廃棄物の最終処分場に設定された多数の区画を示す平面図。
【図２】廃棄物の最終処分場で圧密成形体上にモルタルを散布する様子を示す説明図。
【図３】本考案のミキサー車用骨材投入ホッパーの構成を示す斜視図。
【考案を実施するための形態】
【００１２】
次に、添付の図面を参照しながら本考案の実施の形態についてさらに詳しく説明する。
【００１３】
図１に示す廃棄物の最終処分場１は、地盤を取り除いて設定された多数の区画２を備えている。各区画２は、例えば長さが８ｍ、幅が６．８ｍ、高さが１．３ｍの直方体の形状を有し、高さが鉛直方向に沿うように配置される。鉛直方向の区画２の区分数は、例えば１５である。したがって、廃棄物の最終処分場１には、水平方向に碁盤の目状に区分されるとともに、例えば１５層に積み重ねられた多数の区画２が設定される。
【００１４】
最終処分場１では、図２に示すように、区画２毎に無機廃棄物とセメントと水又は重金属固定剤含有水溶液とを混練した盛土材を充填し、締め固めることにより圧密成形体３を形成する。その後、圧密成形体３の上に、モルタルＭと砕石とを積層して防水被覆層（図示せず）を形成することにより、前記無機廃棄物と雨水との接触を阻止し、該無機廃棄物に含まれる有害物質の雨水への溶出を防止する。
【００１５】
最終処分場１では、前記モルタルＭをミキサー車５を用いて調製し、パワーショベル１０等により圧密成形体３の上に供給する。ミキサー車５は、セメントと砂と水とを混練するドラム６と、車両後部上方に設けられたホッパー７と、ホッパー７の周囲に設けられた作業台８とを備えており、ホッパー７からセメントと砂と水とが投入される。
【００１６】
図３に示すように、本実施形態のミキサー車用骨材投入ホッパー１１は、ミキサー車５のホッパー７からドラム６に骨材としての砂を投入するために用いられるものであって、上部から下方に向かって次第に縮径する四角錐状体からなる本体１２と、本体１２をミキサー車５のホッパー７より高い位置に支持する架台１３とを備えている。本体１２は、上部に開口部１４を備えると共に、前記四角錐状体の先端部に開口する投入口１５を備えている。投入口１５はホッパー７よりも小さく形成されている。
【００１７】
架台１３は、本体１２を支持する作業台１６と作業台１６の四隅に設けられた４本の脚部１７とを備え、脚部１７はミキサー車５のホッパー７を超える高さを備えている。また、架台１３は、作業台１６に登るための梯子１８と、作業台１６の周囲に設けられた手すり１９とを備えている。
【００１８】
ミキサー車用骨材投入ホッパー１１を用いてミキサー車５に砂を供給するときには、まず、投入口１５の直下にホッパー７が位置するようにミキサー車５を駐車する。そして、図示しない骨材置場からパワーショベル等により砂を運搬し、本体１２の上部に開口する開口部１４から該砂を供給する。このようにすると、本体１２は上部から下方に向かって次第に縮径する四角錐状体からなるので、前記砂は該四角錐状体により投入口１５案内され、投入口１５からミキサー車５のホッパー７に投入される。
【００１９】
本実施形態のミキサー車用骨材投入ホッパー１１は、ミキサー車５に骨材として砂を供給するために用いられているが、砂利を供給するために用いることもできる。
【符号の説明】
【００２０】
１…最終処分場、  ２…区画、  ３…圧密成形体、  ５…ミキサー車、  ６…ドラム、７…ホッパー、  １１…ミキサー車用骨材投入ホッパー、  １２…本体、  １３…架台、  １４…開口部、  １５…投入口。
【図１】
0003184972.tif 000003
【図２】
0003184972.tif 000004
【図３】
0003184972.tif 000005